(57)【要約】【課題】顧客による不用意な操作による誤動作を防止し、かつ店員による作業を効率化に貢献する。【解決手段】電子棚札１００−１〜１００−Ｍの加速度センサは、自装置にかかる加速度を検出し、検出した加速度に対応する電圧のセンサ信号を出力し、電子棚札１００−１〜１００−Ｍのコンパレータは、センサ信号が示す加速度と所定の閾値とに基づいて検出信号を出力する。管理サーバ装置５００または電子棚札１００−１〜１００−Ｍは、電子棚札１００−１〜１００−Ｍのコンパレータが出力する検出信号のパターンが所定の入力パターンに合致する場合に所定の処理を実行する。【選択図】図１
2011045429.tif 000002
【特許請求の範囲】
【請求項１】
情報表示装置と管理サーバ装置とを備える情報表示システムであって、
前記情報表示装置は、
加速度を示すセンサ信号を出力する加速度センサと、
前記センサ信号が示す加速度と所定の閾値とに基づいて検出信号を出力する信号出力部と、
を備え、
前記情報表示装置または前記管理サーバ装置は、
前記信号出力部が出力する検出信号のパターンが所定の入力パターンに合致する場合にのみ所定の処理を実行する処理実行部を備えることを特徴とする情報表示システム。
【請求項２】
前記信号出力部は、前記センサ信号が示す加速度が所定の閾値を超える場合に前記検出信号を出力することを特徴とする請求項１に記載の情報表示システム。
【請求項３】
前記入力パターンは連続する２つの検出信号が出力された出力間隔の組み合わせを示し、
前記処理実行部は、前記信号出力部による連続する２つの検出信号の出力間隔と前記入力パターンが示す出力間隔とを検出信号の出力順に比較し、当該出力間隔同士が合致する場合にのみ所定の処理を実行する、
ことを特徴とする請求項１または請求項２の何れか１項に記載の情報表示システム。
【請求項４】
前記加速度センサは複数の検出軸を有し、当該検出軸毎にセンサ信号を出力し、
前記信号出力部は、複数のセンサ信号の変化レベルが同時に所定の閾値を超えた場合、検出信号を出力しないことを特徴とする請求項１から請求項３の何れか１項に記載の情報表示システム。
【請求項５】
前記加速度センサは複数の検出軸を有し、当該検出軸毎にセンサ信号を出力し、
前記信号出力部は、加速度センサが出力するセンサ信号の各々に対応する検出信号を出力し、
前記入力パターンは、複数の検出軸に対応する検出信号の出力順序を示し、
前記処理実行部は、前記信号出力部による検出信号の出力順序と前記入力パターンが示す出力順序とが合致する場合にのみ所定の処理を実行する、
ことを特徴とする請求項１または請求項２の何れか１項に記載の情報表示システム。
【請求項６】
前記信号出力部は、前記加速度センサが出力する全ての検出軸に対応するセンサ信号が、加速度がゼロであることを示す場合、所定の期間前記検出信号の出力を停止することを特徴とする請求項４または請求項５のいずれか１項に記載の情報表示システム。
【請求項７】
前記情報表示装置は、前記加速度センサが出力するセンサ信号から、当該加速度センサが設置された部材の固有振動数以上の周波数を除去したセンサ信号を出力するローパスフィルタを備え、
前記信号出力部は、前記ローパスフィルタが出力したセンサ信号に基づいて検出信号を出力する、
ことを特徴とする請求項１から請求項６のいずれか1項に記載の情報表示システム。
【請求項８】
情報を表示する情報表示装置であって、
加速度を示すセンサ信号を出力する加速度センサと、
前記センサ信号が示す加速度と所定の閾値とに基づいて検出信号を出力する信号出力部と、
前記信号出力部が出力する検出信号のパターンが所定の入力パターンに合致する場合にのみ所定の処理を実行する処理実行部と、
を備えることを特徴とする情報表示装置。
【請求項９】
請求項８に記載の情報表示装置を備えたことを特徴とする電子棚札。
【発明の詳細な説明】
【技術分野】
【０００１】
本発明は、情報表示システム、情報表示装置及び電子棚札に関する。
【背景技術】
【０００２】
近年、スーパーマーケットやコンビニエンスストア等の小売店では、陳列棚に設置し、商品名や売価などの商品情報を表示する電子棚札が実用化されている。
このような電子棚札に、商品情報以外に売り上げや在庫などの店員向けの商品情報を表示させることで、店舗業務の効率化に貢献することができる。しかし、このような情報が簡単に表示できてしまうと、店舗の機密が関係者以外に漏洩する可能性がある。
【０００３】
このような問題を解決する方法として、電子棚札に表示切替ボタンを備え、当該ボタンが押下された場合に表示する情報を切り替える方法が考えられる。
また、このような問題を解決する方法として、店員が所持する可搬性の情報切替装置を用いて表示情報の切り替えを行う技術が提案されている（例えば、特許文献１、特許文献２を参照）。これにより、店員による情報切替装置の操作があった場合に表示する情報を切り替えることができ、情報の漏洩を防ぐことができる。
【０００４】
また、特許文献３には、電子棚札にタッチパネルを用いて表示エリアの設定を行う技術が開示されている。
【先行技術文献】
【特許文献】
【０００５】
【特許文献１】特開２００１−２０９８６１号公報
【特許文献２】特開２００９−０２６３２９号公報
【特許文献３】特開２００８−０２３１０８号公報
【発明の概要】
【発明が解決しようとする課題】
【０００６】
しかしながら、電子棚札に表示切替ボタンを備える場合、顧客による不用意な操作により表示が切り替わってしまう可能性がある。また、不用意な操作を回避するために電子棚札の裏面に表示切替ボタンを配置することも考えられるが、この場合、店員は表示の切替の際に電子棚札を陳列棚から取り外して操作を行わなければならないため、作業効率が悪くなるという問題があった。
また、可搬性の情報切替装置による表示情報の切り替えを行う場合も、店員は情報切替装置を手に持ちながら操作を行う必要があり、作業効率が悪いという問題があった。
本発明は上記の点に鑑みてなされたものであり、その目的は、顧客による不用意な操作による誤動作を防止し、かつ店員による作業を効率化に貢献することができる情報表示システム、情報表示装置及び電子棚札を提供することにある。
【課題を解決するための手段】
【０００７】
本発明は上記の課題を解決するためになされたものであり、情報表示装置と管理サーバ装置とを備える情報表示システムであって、前記情報表示装置は、加速度を示すセンサ信号を出力する加速度センサと、前記センサ信号が示す加速度と所定の閾値とに基づいて検出信号を出力する信号出力部と、を備え、前記情報表示装置または前記管理サーバ装置は、前記信号出力部が出力する検出信号のパターンが所定の入力パターンに合致する場合にのみ所定の処理を実行する処理実行部を備えることを特徴とする。
【０００８】
また、本発明において、前記信号出力部は、前記センサ信号が示す加速度が所定の閾値を超える場合に前記検出信号を出力することを特徴とする。
【０００９】
また、本発明において、前記入力パターンは連続する２つの検出信号が出力された出力間隔の組み合わせを示し、前記処理実行部は、前記信号出力部による連続する２つの検出信号の出力間隔と前記入力パターンが示す出力間隔とを検出信号の出力順に比較し、当該出力間隔同士が合致する場合にのみ所定の処理を実行する、ことを特徴とする。
【００１０】
また、本発明において、前記加速度センサは複数の検出軸を有し、当該検出軸毎にセンサ信号を出力し、前記信号出力部は、複数のセンサ信号の変化レベルが同時に所定の閾値を超えた場合、検出信号を出力しないことを特徴とする。
【００１１】
また、本発明において、前記加速度センサは複数の検出軸を有し、当該検出軸毎にセンサ信号を出力し、前記信号出力部は、加速度センサが出力するセンサ信号の各々に対応する検出信号を出力し、前記入力パターンは、複数の検出軸に対応する検出信号の出力順序を示し、前記処理実行部は、前記信号出力部による検出信号の出力順序と前記入力パターンが示す出力順序とが合致する場合にのみ所定の処理を実行する、ことを特徴とする。
【００１２】
また、本発明において、前記信号出力部は、前記加速度センサが出力する全ての検出軸に対応するセンサ信号が、加速度がゼロであることを示す場合、所定の期間前記検出信号の出力を停止することを特徴とする。
【００１３】
また、本発明において、前記情報表示装置は、前記加速度センサが出力するセンサ信号から、当該加速度センサが設置された部材の固有振動数以上の周波数を除去したセンサ信号を出力するローパスフィルタを備え、前記信号出力部は、前記ローパスフィルタが出力したセンサ信号に基づいて検出信号を出力する、ことを特徴とする。
【００１４】
また、本発明は、情報を表示する情報表示装置であって、加速度を示すセンサ信号を出力する加速度センサと、前記センサ信号が示す加速度と所定の閾値とに基づいて検出信号を出力する信号出力部と、前記信号出力部が出力する検出信号のパターンが所定の入力パターンに合致する場合にのみ所定の処理を実行する処理実行部と、を備えることを特徴とする。
【００１５】
また、本発明は、前記情報表示装置を備えたことを特徴とする電子棚札である。
【発明の効果】
【００１６】
本発明によれば、検出信号のパターンが所定の入力パターンに合致する場合に所定の動作を行う。これにより、顧客の不用意な操作による誤動作が発生する確率は低くすることができる。また、入力手段である加速度センサを情報表示装置に備えることで、店員は可搬性の情報切替装置を用いずに操作を行うことができるため、作業の効率化に貢献することができる。
【図面の簡単な説明】
【００１７】
【図１】第１の実施形態による電子棚札システムの構成図である。
【図２】第１の実施形態による電子棚札の構成を示す概略ブロック図である。
【図３】加速度センサの止着位置を示す図である。
【図４】第１の実施形態による管理サーバ装置の構成を示す概略ブロック図である。
【図５】入力パターンテーブルが格納する情報の例を示す第１の図である。
【図６】テンプレートテーブルが格納する情報の例を示す図である。
【図７】商品情報テーブルが格納する情報の例を示す図である。
【図８】電子棚札の入力装置部が検出信号を出力する動作を示す第１のフローチャートである。
【図９】電子棚札を軽く叩いたときのセンサ信号と検出信号を示す第１の図である。
【図１０】ユーザが電子棚札へコマンドを入力する際の電子棚札の動作を示す第１のフローチャートである。
【図１１】管理サーバ装置が入力パターンデータを受信した際の動作を示す第１のフローチャートである。
【図１２】商品名・価格表示画面の画面例を示す図である。
【図１３】電子棚札が表示切替命令を受信した際の動作を示すフローチャートである。
【図１４】第２の実施形態による電子棚札の構成を示す概略ブロック図である。
【図１５】電子棚札の入力装置部が検出信号を出力する動作を示す第２のフローチャートである。
【図１６】電子棚札を軽く叩いたときのセンサ信号と検出信号を示す第２の図である。
【図１７】第３の実施形態による電子棚札の構成を示す概略ブロック図である。
【図１８】第３の実施形態による管理サーバ装置の構成を示す概略ブロック図である。
【図１９】入力パターンテーブルが格納する情報の例を示す第２の図である。
【図２０】電子棚札の入力装置部が検出信号を出力する動作を示す第３のフローチャートである。
【図２１】ユーザが電子棚札へコマンドを入力する際の電子棚札の動作を示す第２のフローチャートである。
【図２２】管理サーバ装置が入力パターンデータを受信した際の動作を示す第２のフローチャートである。
【図２３】加速度センサの他の止着位置を示す第１の図である。
【図２４】加速度センサの他の止着位置を示す第２の図である。
【発明を実施するための形態】
【００１８】
（第１の実施形態）
以下、図面を参照しながら本発明の第１の実施形態について詳しく説明する。
図１は、第１の実施形態による電子棚札システムの構成図である。
電子棚札システムは、電子棚札１００−１〜１００−Ｍ（以下、電子棚札１００−１〜１００−Ｍを総称する場合は電子棚札１００と表記する）、大型電子棚札２００、中継器３００−１〜３００−Ｎ（以下、中継器３００−１〜３００−Ｎを総称する場合は中継器３００と表記する）、基地局装置４００、管理サーバ装置５００、ストアサーバ装置６００を備える。
電子棚札１００は、商品の陳列棚に配置され、商品の情報を表示する装置である。
大型電子棚札２００は、商品の陳列棚に配置され、複数の商品の情報や、商品の詳細な情報を表示する装置である。
中継器３００及び基地局装置４００は、管理サーバ装置５００と電子棚札１００及び大型電子棚札２００との通信を中継する装置である。
管理サーバ装置５００は、電子棚札１００及び大型電子棚札２００の表示の制御を行う装置である。
ストアサーバ装置６００は、商品のマスタ情報、売り上げ情報、在庫情報など、商品の情報を管理する装置である。
【００１９】
図２は、第１の実施形態による電子棚札１００の構成を示す概略ブロック図である。
電子棚札１００は、ＬＣＤ（Liquid Crystal Display：液晶ディスプレイ）表示部１１０、メモリ１２０、入力装置部１３０、無線通信部１４０、ＣＰＵ（Central Processing Unit：中央処理装置）１５０を備える。
ＬＣＤ表示部１１０は、例えば商品名、値段、在庫等の商品の情報を示す表示情報を表示する。
メモリ１２０は、ＬＣＤ表示部１１０に表示させる表示情報を記憶する。
入力装置部１３０は、加速度センサ１３１、ローパスフィルタ１３２、ハイパスフィルタ１３３、コンパレータ１３４によって構成される。
【００２０】
加速度センサ１３１は、電子棚札１００の筐体の内側に止着され、電子棚札１００の奥行方向にかかる加速度を検出し、当該加速度に対応する電圧のセンサ信号を出力する。
ローパスフィルタ１３２は、加速度センサ１３１が出力したセンサ信号から、加速度センサ１３１が取り付けられた部位の固有振動数以上の高周波成分を除去する。
ハイパスフィルタ１３３は、ローパスフィルタ１３２が出力したセンサ信号から、加速度センサ１３１のオフセットに相当する低周波成分を除去する。
コンパレータ１３４は、ハイパスフィルタ１３３が出力したセンサ信号の電圧が所定の閾値以上である場合にＯＮを示し、所定の閾値未満である場合にＯＦＦを示す検出信号を出力する。
【００２１】
無線通信部１４０は、無線信号を出力し、中継器３００及び基地局装置４００を介して管理サーバ装置５００との通信を行う。
ＣＰＵ１５０は、プログラムを実行することにより出力信号制御部１５１、入力タイマ部１５２、表示切替部１５３、表示タイマ部１５４を構成する。
出力信号制御部１５１は、入力装置部１３０が出力した検出信号に基づいて管理サーバ４００に出力する入力パターンデータを生成する。
入力タイマ１５２は、入力装置部１３０が検出信号を出力した時刻からの経過時間を計時する。
表示切替部１５３は、ＬＣＤ表示部１１０に表示させる表示情報を切り替える。
表示タイマ部１５４は、表示切替部１５３がＬＣＤ表示部１１０の表示情報を切り替えた時刻からの経過時間を計時する。
【００２２】
図３は、加速度センサ１３１の止着位置を示す図である。
加速度センサ１３１は、図３（Ｂ）に示すように、電子棚札１００のＬＣＤ表示部１１０の裏面に止着される。これにより、加速度センサ１３１は、ＬＣＤ表示部１１０の振動を検出することができる。また、ローパスフィルタ１３２は、加速度センサ１３１が出力するセンサ信号からＬＣＤ表示部１１０の固有振動数以上の高周波成分を除去することで、センサ信号のノイズを適切に除去することができる。
【００２３】
図４は、第１の実施形態による管理サーバ装置の構成を示す概略ブロック図である。
管理サーバ装置５００は、通信部５１０、記憶部５２０、ＣＰＵ５３０を備える。
通信部５１０は、基地局装置４００及び中継器３００を介して電子棚札１００との通信を行う。
記憶部５２０は、入力パターンテーブル５２１、テンプレートテーブル５２２、商品情報テーブル５２３を記憶する。
【００２４】
入力パターンテーブル５２１は、電子棚札１００のそれぞれに対応付けて、当該電子棚札１００が出力する検出信号の検出間隔の組み合わせと、当該組み合わせに対応する処理内容とを記憶する。
テンプレートテーブル５２２は、電子棚札１００に表示させる表示情報のテンプレートを記憶する。
商品情報テーブル５２３は、商品コードに対応付けて、当該商品コードが示す商品の情報と、当該商品の情報を表示する電子棚札１００の情報とを記憶する。
【００２５】
ＣＰＵ５３０は、プログラムを実行することにより、処理決定部５３１、処理実行部５３２を構成する。
処理決定部５３１は、電子棚札１００が出力する入力パターンデータと入力パターンテーブル５２１が記憶する検出間隔の組み合わせとを比較し、処理内容を決定する。
処理実行部５３２は、処理決定部５３１が決定した処理内容に従った処理を実行する。
【００２６】
図５は、入力パターンテーブル５２１が格納する情報の例を示す第１の図である。
入力パターンテーブル５２１は、図５に示すように、電子棚札１００の識別番号である棚札コードに対応付けて、処理の識別番号である処理モード、複数の検出信号の検出間隔、処理内容、一時表示フラグ、標準モードフラグを格納する。なお、一時表示フラグとは、処理内容が表示の切り替えを示す場合において、一時表示フラグが「１」であるとき、電子棚札１００がＬＣＤ表示部１１０の表示を切り替えてから一定時間経過後に標準モードの表示に切り替えることを示すフラグである。また、標準モードフラグは、処理内容が表示の切り替えを示す場合において、標準モードが「１」であるとき、当該処理が標準モードの表示であることを示すフラグである。
【００２７】
図６は、テンプレートテーブル５２２が格納する情報の例を示す図である。
テンプレートテーブル５２２は、図６（Ａ）に示すように、処理の識別番号である処理モードに対応付けて、背景画像、表示情報、表示領域を格納する。これらの情報は、電子棚札１００のＬＣＤ表示部１１０に表示させる表示情報のテンプレートとして用いられる。例えば、処理モード１が示す商品名・価格表示画面のテンプレートは、図６（Ｂ）に示すように、商品名表示位置、価格表示位置、バーコード表示位置を有する。このテンプレートに定義された位置のそれぞれに商品の情報を配置することで、表示画面を生成する。
【００２８】
図７は、商品情報テーブル５２３が格納する情報の例を示す図である。
商品情報テーブル５２３は、商品コードに対応付けて、当該商品コードが示す商品の商品名及び価格、当該商品の情報を表示させる電子棚札１００の棚札コード、当該商品の情報を表示させる大型電子棚札２００の棚札コード、大型電子棚札２００に情報を表示させるか否かを示す大型表示フラグを格納する。
【００２９】
このような構成を備えることで、電子棚札１００の加速度センサ１３１は、自装置にかかる加速度を検出し、当該加速度を示すセンサ信号を出力する。次に、コンパレータ１３４は、センサ信号が示す加速度と所定の閾値とに基づいて検出信号を出力する。そして、管理サーバ装置５００の処理実行部５３２または電子棚札１００の表示切替部１５３は、電子棚札１００のコンパレータ１３４が出力する検出信号のパターンが所定の入力パターンに合致する場合に所定の処理を実行する。
ここで所定の入力パターンとは、管理サーバ装置５００の入力パターンテーブル５２１が記憶する検出間隔の組み合わせを示し、所定の処理とは、入力パターンテーブル５２１が記憶する処理内容を示す。つまり、管理サーバ装置５００の処理実行部５３２または電子棚札１００の表示切替部１５３は、電子棚札１００の入力装置部１３０が出力する検出信号の検出間隔と入力パターンテーブル５２２の検出間隔の組み合わせとが合致した場合に、入力パターンテーブル５２２が当該検出間隔の組み合わせに対応付けて記憶する処理内容を実行する。
これにより、顧客による不用意な操作による誤動作を防止し、かつ店員による作業を効率化に貢献することができる。
【００３０】
次に、第１の実施形態による電子棚札システムの動作を説明する。
まず、電子棚札１００の入力装置部１３０が検出信号を出力する動作を説明する。
図８は、電子棚札１００の入力装置部１３０が検出信号を出力する動作を示す第１のフローチャートである。
電子棚札１００の加速度センサ１３１は、電子棚札１００の奥行方向にかかる加速度（例えば、電子棚札１００を軽く叩いたときに発生する加速度など）を常時検出し、検出した加速度に対応する電圧のセンサ信号を出力している（ステップＳ１）。次に、ローパスフィルタ１３２は、加速度センサ１３１が出力するセンサ信号から、ＬＣＤ表示部１１０の固有振動数以上の高周波成分を除去する（ステップＳ２）。これにより、ＬＣＤ表示部１１０の固有振動によるノイズを除去することができる。次に、ハイパスフィルタ１３３は、ローパスフィルタ１３２が出力するセンサ信号から所定の低周波成分を除去する（ステップＳ３）。これにより、加速度センサ１３１のオフセットによるノイズを除去することができる。
【００３１】
次に、コンパレータ１３４は、ハイパスフィルタ１３４が出力するセンサ信号の電圧と所定の閾値とを比較する（ステップＳ４）。コンパレータ１３４は、センサ信号の電圧が所定の閾値以上であると判定した場合（ステップＳ４：ＹＥＳ）、ＯＮを示す検出信号を出力する（ステップＳ５）。他方、コンパレータ１３４は、センサ信号の電圧が所定の閾値未満であると判定した場合（ステップＳ４：ＮＯ）、ＯＦＦを示す検出信号を出力する（ステップＳ６）。つまり、コンパレータ１３４は、加速度センサ１３１が所定の加速度以上の加速度を検知した場合にＯＮを示す検出信号を出力し、検出した加速度が所定の加速度未満であった場合にＯＦＦを示す検出信号を出力する。
なお、コンパレータ１３４の閾値は、電子棚札１００を奥行方向に軽く叩いたときに加速度センサ１３１が出力するセンサ信号の電圧より少し低い値とすることが望ましい。つまり、入力装置部１３０は、電子棚札１００を奥行方向に軽く叩いたときにＯＮを示す検出信号を出力する。
【００３２】
図９は、電子棚札１００を軽く叩いたときのセンサ信号と検出信号を示す第１の図である。
図９（Ａ）は、加速度センサ１３１が出力するセンサ信号を示すグラフであり、横軸は時間を示し、縦軸はセンサ信号の電圧を示す。電子棚札１００を奥行方向に軽く叩くと、加速度センサ１３１は加速度を検出し、図９（Ａ）に示すように、検出した加速度に応じた電圧のセンサ信号を出力する。
図９（Ｂ）は、コンパレータ１３４が出力する検出信号を示すグラフであり、横軸は時間を示し、縦軸は検出信号の電圧を示す。加速度センサ１３１が出力するセンサ信号の電圧が所定の閾値以上になったときに、図９（Ｂ）に示すように、検出信号の電圧がＯＦＦを示す値からＯＮを示す値に切り替わる。
【００３３】
次に、ユーザが電子棚札１００を叩くことで表示切替のコマンドを入力する際の電子棚札１００の動作を説明する。
図１０は、ユーザが電子棚札１００へコマンドを入力する際の電子棚札１００の動作を示す第１のフローチャートである。
電子棚札１００の出力信号制御部１５１は、入力装置部１３０が出力する検出信号を取得する（ステップＳ１１）。次に、出力信号制御部１５１は、取得した検出信号がＯＮであるか否かを判定する（ステップＳ１２）。出力信号制御部１５１が、検出信号がＯＦＦであると判定した場合（ステップＳ１２：ＮＯ）、ステップＳ１１に戻り、入力装置部１３０の検出信号のＯＮ／ＯＦＦの判定を繰り返す。
他方、出力信号制御部１５１が、検出信号がＯＮであると判定した場合（ステップＳ１２：ＹＥＳ）、入力タイマ部１５２は、検出信号がＯＮであると判定した時刻からの経過時間の計時を開始する（ステップＳ１３）。なお、入力タイマ部１５２は、メモリ１２０の経過時間記憶領域に計時した時間を書き込む。
【００３４】
入力タイマ部１５２が計時を開始すると、出力信号制御部１５１は、再度入力装置部１３０から検出信号を取得する（ステップＳ１４）。次に、出力信号制御部１５１は、検出信号がＯＮであるか否かを判定する（ステップＳ１５）。出力信号制御部１５１が、検出信号がＯＮであると判定した場合（ステップＳ１５：ＹＥＳ）、出力信号制御部１５１は、入力タイマ部１５２が計時する時間を読み出し、当該時間、すなわちＯＮを示す検出信号の検出間隔をメモリ１２０の検出間隔記憶領域に書き込む（ステップＳ１６）。このとき、出力信号制御部１５１は、検出間隔を検出信号の出力順に順序付けられたリストとしてメモリ１２０の検出間隔記憶領域に書き込む。次に、入力タイマ部１５２は、メモリ１２０の経過時間記憶領域に書き込んだ時間をリセットし、ステップＳ１５で検出信号がＯＮであると判定した時刻からの経過時間の計時を開始する（ステップＳ１７）。
ステップＳ１５で出力信号制御部１５１が、検出信号がＯＦＦであると判定した場合（ステップＳ１５：ＮＯ）、またはステップＳ１７で入力タイマ部１５２が経過時間をリセットした場合、出力信号制御部１５１は、入力タイマ部１５２が計時する時間が所定の時間を経過しているか否かを判定する（ステップＳ１８）。ここで、所定の時間とは、例えば３秒程度の時間である。出力信号制御部１５１は、所定の時間が経過していないと判定した場合（ステップＳ１８：ＮＯ）、ステップＳ１４に戻り、検出信号のＯＮ／ＯＦＦの判定を繰り返す。
他方、出力信号制御部１５１は、所定の時間が経過したと判定した場合（ステップＳ１８：ＹＥＳ）、メモリ１２０が検出間隔記憶領域に記憶する検出間隔のリストを読み出す（ステップＳ１９）。
【００３５】
つまり、コンパレータ１３４が最後にＯＮを示す検出信号を出力した時刻から所定の時間が経過する前に、コンパレータ１３４がＯＮを示す検出信号を出力した場合は、ステップＳ１４〜Ｓ１８の処理を繰り返す。この処理により、メモリ１２０の検出間隔記憶領域には、検出信号の出力順に順序付けられた検出間隔のリストが蓄積される。そして、出力信号制御部１５１は、コンパレータ１３４が最後にＯＮを示す検出信号を出力した時刻から所定の時間が経過した場合に、検出間隔のリストを読み出す。
【００３６】
出力信号制御部１５１は、ステップＳ１９で検出間隔のリストを読み出すと、読み出した検出間隔のリストを示す入力パターンデータを生成する（ステップＳ２０）。次に、無線通信部１４０は、生成した入力パターンデータを管理サーバ装置５００に送信する（ステップＳ２１）。但し、ステップＳ１２で検出信号ＯＮを１回だけ検出し、メモリ１２０の検出間隔記憶領域に検出間隔のリストが記憶されていない場合は、ステップＳ２０による入力パターンデータの生成、及びステップＳ２１による入力パターンデータの送信を行わずに処理を終了する。
これにより、連続する２つの検出信号が出力された出力間隔の組み合わせ、すなわち検出信号のパターンを管理サーバ装置に送信することができる。
【００３７】
次に、管理サーバ装置５００が入力パターンデータを受信した際の動作を説明する。
図１１は、管理サーバ装置５００が入力パターンデータを受信した際の動作を示す第１のフローチャートである。
上述したステップＳ２１により、電子棚札１００が入力パターンデータを出力すると、管理サーバ装置５００の通信部５１０は、中継器３００及び基地局装置４００を介して入力パターンデータを受信する（ステップＳ３１）。通信部５１０が入力パターンデータを受信すると、処理決定部５３１は、入力パターンデータが示す検出信号の検出間隔と入力パターンテーブル５２１が示す各処理モードの検出間隔とを比較し、何れかの処理モードに対応付けられた検出間隔が、入力パターンデータが示す検出間隔と所定の誤差範囲内で合致するか否かを判定する（ステップＳ３２）。具体的には、上述した処理により、棚札ＩＤが１００１である電子棚札１００から、１回目の検出間隔が０．４５秒、２回目の検出間隔が０．５３秒であることを示す入力パターンデータを受信したものとする。この場合、まず、処理決定部５３１は、図５に示す入力パターンテーブル５２１の棚札コード１００１に対応する処理モード１〜６の中から検出間隔１が０．４５秒と誤差０．１秒以内で合致するものを特定する。ここでは、０．５秒を示す処理モード１、２、５、６が誤差範囲内で合致すると判定される。次に、処理モード１、２、５、６の中から検出間隔２が０．５３秒と誤差０．１秒以内で合致するものを特定する。ここでは、検出間隔２が０．５秒である処理モード１、５が合致すると判定される。次に、処理モード１、５の中から検出間隔３がＮＵＬＬであるものを特定する。このとき、処理モード１の検出間隔３がＮＵＬＬであるため、処理決定部５３１は、処理モード１の検出間隔と入力パターンデータが示す検出間隔とが誤差範囲内で合致すると判定する。
【００３８】
ステップＳ３２で、処理決定部５３１が何れかの処理モードの検出間隔と入力パターンデータが示す検出間隔とが合致したと判定した場合（ステップＳ３２：ＹＥＳ）、入力パターンテーブル５２１から合致した処理モードに対応付けられた処理内容を読み出す（ステップＳ３３）。具体的には、処理決定部５３１が合致する処理モードが処理モード１であると判定した場合、処理決定部５３１は、処理モード１に対応付けられた処理内容「商品名・価格表示」を読み出す。
【００３９】
処理決定部５３１が処理内容を読み出すと、処理実行部５３２は、読み出した処理内容に従って処理命令を生成する（ステップＳ３４）。具体的には、上述した処理により処理決定部５３１が処理内容「商品名・価格表示」を読み出した場合、まず処理実行部５３２は、テンプレートテーブル５２２から図６（Ｂ）に示す商品名・価格表示画面のテンプレートを読み出す。次に、処理実行部５３２は、商品情報テーブル５２３から棚札コード１００１に対応付けられた商品コード、商品名、価格を読み出す。次に、処理実行部５３２は、読み出した商品名・価格表示画面のテンプレートの商品名表示位置に、読み出した商品名を配置し、価格表示位置に、読み出した価格を配置し、バーコード表示位置に、読み出した商品コードから生成したバーコードを配置した表示情報を生成する。次に、処理実行部５３２は、図５に示す入力パターンテーブル５２１から、処理モード１に対応する一時表示フラグを読み出す。そして、処理実行部５３２は、商品名・価格表示画面の表示情報と一時表示フラグとを含む表示切替命令（処理命令）を生成する。
【００４０】
ステップＳ３４で処理実行部５３２が処理命令を生成すると、通信部５１０は、生成した処理命令を処理対象となる装置へ送信する（ステップＳ３５）。具体的には、処理実行部５３２が上述した処理により表示切替命令を生成した場合、入力パターンデータの送信元の電子棚札１００に当該表示切替命令を送信する。
【００４１】
他方、ステップＳ３２で、処理決定部５３１が、入力パターンデータが示す検出間隔が何れか処理モードの検出間隔とも合致しないと判定した場合（ステップＳ３２：ＮＯ）、管理サーバ装置５００は処理命令の生成を行わずに処理を終了する。これにより、ユーザによる入力パターンが誤っていた場合に処理を行わないため、顧客の不用意な操作による誤動作の発生を防ぐことができる。
【００４２】
図１２は、商品名・価格表示画面の画面例を示す図である。
商品名・価格表示画面は、図６に示す商品名・価格表示画面のテンプレートに、商品名、価格及びバーコードを配置した画面である。
【００４３】
なお、ステップＳ３４において処理内容が、図５に示す入力パターンテーブル５２１の処理モード３の「売り上げ表示」や処理モード４の「在庫表示」等、ストアサーバ装置６００に格納される情報を参照する処理であった場合、処理決定部５３１は、通信部５１０を介してストアサーバ装置６００から該当する情報を読み出す。
また、処理内容は、電子棚札１００に表示させる情報を切り替える処理以外の処理であっても良く、例えば、図５に示す処理モード６の「大型電子棚札に表示」等、入力パターンデータを送信した電子棚札１００以外の装置への処理であっても良い。ここで、「大型電子棚札に表示」という処理内容は、入力パターンデータを送信した電子棚札１００に対応付けられた商品の情報を、大型電子棚札２００に表示させる処理を示す。なお、大型電子棚札２００は、図７に示す商品情報テーブル５２４から情報を取得し、大型表示フラグが「１」である情報を表示する。
【００４４】
なお、ステップＳ３５において、処理の実行が管理サーバ装置５００で完結する場合は、送信処理を行わなくても良い。例えば、処理内容が「大型電子棚札に表示」であった場合、処理実行部５３２が、図７に示す商品情報テーブル５２４の大型表示フラグを「１」に切り替えることで、大型電子棚札２００の表示を切り替えることができるため、この場合はステップＳ３５による送信処理を行わなくても良い。
【００４５】
次に、電子棚札１００が表示切替命令を受信した際の動作を説明する。
図１３は、電子棚札１００が表示切替命令を受信した際の動作を示すフローチャートである。
上述したステップＳ３５で、管理サーバ装置５００が処理命令として電子棚札１００に表示切替命令を出力すると、電子棚札１００の無線通信部１４０は、基地局３００及び中継器３００を介して表示切替命令を受信する（ステップＳ４１）。
【００４６】
無線通信部１４０が表示切替命令を受信すると、表示切替部１５３は、ＬＣＤ表示部１１０が表示する表示情報を、受信した表示切替命令に含まれる表示情報に切り替える（ステップＳ４２）。次に、表示切替部１５３は、受信した表示切替命令に含まれる一時表示フラグが「１」であるか否かを判定する（ステップＳ４３）。表示切替部１５３が、一時表示フラグが「０」であると判定した場合（ステップＳ４３：ＮＯ）、電子棚札１００は、処理を終了する。
【００４７】
他方、表示切替部１５３が、一時表示フラグが「１」であると判定した場合（ステップＳ４３：ＹＥＳ）、表示タイマ部１５４は、表示切替部１５３が表示情報を切り替えた時刻からの経過時間の計時を開始する（ステップＳ４４）。なお、表示タイマ部１５４は、メモリ１２０に計時した時間を書き込む。
次に、表示切替部１５３は、メモリ１２０から表示タイマ部１５４が計時する時間を読み出す（ステップＳ４５）。次に、表示切替部１５３は、表示タイマ部１５４が計時する時間が所定の時間を経過しているか否かを判定する（ステップＳ４６）。ここで、所定の時間とは、例えば１分程度の時間である。表示切替部１５３は、所定の時間が経過していないと判定した場合（ステップＳ４６：ＮＯ）、ステップＳ４５に戻り、時間の経過の判定を繰り返す。
【００４８】
他方、表示切替部１５３は、所定の時間が経過したと判定した場合（ステップＳ４６：ＹＥＳ）、ＬＣＤ表示部１１０が表示する表示情報を標準モードの表示情報に切り替える（ステップＳ４７）。ここで、表示切替部１５３による標準モードの表示モードへの切替処理は、以下の方法で実現することができる。
例えば、予めメモリ１２０に標準モードの表示情報を格納しておき、標準モードへの表示切替時に、表示切替部１５３がメモリ１２０から表示情報を読み出して表示情報の切替を行うことで、標準モードへの表示情報の切り替えを実現することができる。
また、例えば、標準モードへの表示切替時に、無線通信部１４０が管理サーバ装置５００から標準モードフラグが「１」を示す表示情報を受信し、表示切替部１５３が受信した表示情報への切り替えを行うことでも、標準モードへの表示情報の切り替えを実現することができる。
【００４９】
これにより、店員などが店舗作業のために電子棚札１００の表示情報を売り上げ情報や在庫情報等の店舗の機密に関わる表示情報への切り替えた後、標準モード等の顧客向けの表示情報への表示の切り替えを忘れた場合にも、所定の時刻の経過により、顧客向けの表示情報を示す標準モードへ表示が切り替わるため、店舗の機密が関係者以外に漏洩する可能性を低減することができる。
【００５０】
このように、本実施形態によれば、電子棚札１００を奥行方向に軽く叩くことによって入力装置部１３０が出力する検出信号の検出間隔が、管理サーバ装置５００の入力パターンテーブル５２２で定義された処理モードの検出間隔と所定の誤差範囲内で合致する場合に、管理サーバ装置５００は、当該処理モードに対応付けられた処理内容の処理を実行する。
これにより、顧客による不用意な操作による誤動作を防止し、かつ店員による作業を効率化に貢献することができる。
【００５１】
なお、本実施形態では、入力パターンテーブル５２１、処理決定部５３１を管理サーバ装置５００に備える場合を説明したが、これに限られず、例えば、これらを電子棚札１００に備える構成としても良い。
また、本実施形態では、加速度センサ１３１が電子棚札１００の奥行方向の加速度を検出する場合を説明したが、これに限られず、例えば、高さ方向や幅方向など、他の方向の加速度を検出する構成としても良い。
【００５２】
（第２の実施形態）
以下、図面を参照しながら本発明の第２の実施形態について詳しく説明する。
図１４は、第２の実施形態による電子棚札１００の構成を示す概略ブロック図である。
第２の実施形態による電子棚札１００の加速度センサ１１３１は、高さ方向、幅方向、奥行方向の三つの検出軸を有し、それぞれの検出軸の加速度に対応するセンサ信号を出力する。
また、電子棚札１００は、入力装置部１３０に検出回路１１３５を備える。検出回路１１３５は、コンパレータ１３４が出力する検出信号のうち、奥行方向の加速度に対応する検出信号のみがＯＮである場合のみ、ＯＮを示す検出信号を出力する。これにより、外部からの振動・衝撃による誤動作を防ぐことができる。
また、電子棚札１００のＣＰＵ１５０は、プログラムを実行することで、第１の実施形態の構成に加えてさらに落下検出タイマ部１１５５を構成する。落下検出タイマ部１１５５は、加速度センサ１１３１が出力するセンサ信号の出力が全て０になった時刻からの経過時間を検出する。
なお、第２の実施形態による管理サーバ装置５００の構成は、第１の実施形態による管理サーバ５００の構成と同じである。
【００５３】
次に、第２の実施形態による電子棚札システムの動作を説明する。
まず、電子棚札１００の入力装置部１３０が検出信号を出力する動作を説明する。
図１５は、電子棚札１００の入力装置部１３０が検出信号を出力する動作を示す第２のフローチャートである。
電子棚札１００の加速度センサ１１３１は、電子棚札１００の高さ方向、幅方向、奥行方向にかかる加速度を常時検出し、検出したそれぞれの加速度に対応する電圧のセンサ信号を出力している（ステップＳ５１）。次に、ローパスフィルタ１３２は、加速度センサ１１３１が出力するそれぞれのセンサ信号から、ＬＣＤ表示部１１０の固有振動数以上の高周波成分を除去する（ステップＳ５２）。次に、ハイパスフィルタ１３３は、ローパスフィルタ１３２が出力するそれぞれのセンサ信号から所定の低周波成分を除去する（ステップＳ５３）。
【００５４】
次に、コンパレータ１３４は、ハイパスフィルタ１３４が出力するそれぞれのセンサ信号の電圧と所定の閾値とを比較する（ステップＳ５４）。コンパレータ１３４は、センサ信号の電圧が所定の閾値以上であると判定した場合（ステップＳ５４：ＹＥＳ）、ＯＮを示す検出信号を出力する（ステップＳ５５）。他方、コンパレータ１３４は、センサ信号の電圧が所定の閾値未満であると判定した場合（ステップＳ５４：ＮＯ）、ＯＦＦを示す検出信号を出力する（ステップＳ５６）。つまり、コンパレータ１３４は、加速度センサ１３１が所定の加速度以上の加速度を検知した検出軸に対応する検出信号の出力をＯＮにし、検出した加速度が所定の加速度未満であった検出軸に対応する検出信号の出力電圧をＯＦＦにする。
【００５５】
コンパレータ１３４が検出信号を出力すると、検出回路１１３５は、コンパレータ１３４が出力する検出信号のうち、奥行方向の加速度に対応する検出信号のみがＯＮであるか否かを判定する（ステップＳ５７）。
【００５６】
検出回路１１３５が、コンパレータ１３４が出力する検出信号のうち、奥行方向の加速度に対応する検出信号のみがＯＮであると判定した場合（ステップＳ５７：ＹＥＳ）、ＯＮを示す検出信号を出力する（ステップＳ５８）。他方、検出回路１１３５が、奥行方向以外の加速度に対応する検出信号がＯＮであると判定した場合、または奥行方向の加速度に対応する検出信号がＯＦＦであると判定した場合（ステップＳ５７：ＮＯ）、ＯＦＦを示す検出信号を出力する（ステップＳ５９）。これにより、奥行方向のみの加速度を検出することができるため、外部からの振動・衝撃による誤動作を防ぐことができる。
【００５７】
図１６は、電子棚札１００を軽く叩いたときのセンサ信号と検出信号を示す第２の図である。
図１６（Ａ）は、加速度センサ１１３１がローパスフィルタ１３２及びハイパスフィルタ１３３を介して出力するそれぞれの検出軸に対応するセンサ信号を示すグラフであり、横軸は時間を示し、縦軸はセンサ信号の電圧を示す。
電子棚札１００を軽く叩くと、加速度センサ１１３１は加速度を検出し、図１６（Ａ）に示すように、検出した加速度に応じた電圧のセンサ信号をそれぞれの検出軸に対して出力する。なお、高さ方向のセンサ信号は、重力加速度を検出するため、通常、外部からの衝撃による加速度に１Ｇを加えた加速度に対応する電圧を出力するが、ハイパスフィルタ１３３を介すことで、図１６（Ａ）に示すように重力加速度によるオフセット（１Ｇ）が除去された信号が出力される。
図１６（Ｂ）は、コンパレータ１３４が出力する検出信号を示すグラフであり、横軸は時間を示し、縦軸は検出信号の電圧を示す。加速度センサ１１３１が出力するセンサ信号の電圧が所定の閾値以上になったときに、図１６（Ｂ）に示すように、検出信号の電圧がＯＦＦを示す値からＯＮを示す値に切り替わる。
図１６（Ｃ）は、検出回路１１３５が出力する検出信号を示すグラフであり、横軸は時間を示し、縦軸は検出信号の電圧を示す。コンパレータが出力する検出信号のうち、奥行方向のみがＯＮである場合に、図１６（Ｃ）に示すように、検出信号の電圧がＯＦＦを示す値からＯＮを示す値に切り替わる。
【００５８】
次に、ユーザが電子棚札１００を叩くことで表示切替のコマンドを入力する際の電子棚札１００の動作を説明する。ユーザが電子棚札１００へコマンドを入力する際の通常時の電子棚札１００の動作は、第１の実施形態と同じである。
但し、加速度センサ１１３１が三つの検出軸すべてにおいて加速度０を検出した場合、ＣＰＵ１５０は、割り込み処理を実行する。ここで、加速度センサ１１３１が三つの検出軸すべてにおいて加速度０を検出した場合とは、ローパスフィルタ１３２及びハイパスフィルタ１３３を介して出力される信号ではなく、加速度センサ１１３１が直接出力した信号が加速度０を検出した場合のことを示す。つまり、通常時に高さ方向のセンサ方向が１Ｇに対応する電圧を出力するセンサ信号が三つの検出軸すべてにおいて加速度０を検出した場合のことである。ＣＰＵ１５０が割り込み処理を実行すると、落下検出タイマ部１１５５は、加速度センサ１１３１が三つの検出軸すべてにおいて加速度０を検出した時刻からの経過時間の計時を開始する。なお、落下検出タイマ部１１５５は、メモリ１２０に計時した時間を書き込む。
【００５９】
次に、出力信号制御部１１５１は、落下検出タイマ部１１５５が計時する時間が所定の時間を経過するまでに加速度センサ１１３１の何れかの検出軸において加速度を検出したか否かを判定する。ここで、所定の時間とは、例えば０．３秒程度の時間である。出力信号制御部１１５１は、何れかの検出軸において加速度を検出したと判定した場合、割り込み処理を終了し、通常の処理を実行する。
他方、何れの検出軸においても加速度を検出しなかったと判定した場合、所定の時間の間、検出信号の取得を停止する。ここで、所定の時間とは、例えば５秒程度の時間である。
【００６０】
加速度センサ１１３１がすべての検出軸において加速度０を検出した場合、電子棚札１００が自由落下をしている可能性が高い。そのため、所定の時間の空いた加速度センサ１１３１がすべての検出軸において加速度０を検出した場合に、しばらくの間検出信号の取得を停止することで、電子棚札１００の落下による誤動作を防止することができる。
なお、電子棚札１００が表示切替命令を受信した際の動作は、第１の実施形態と同じ動作となる。
【００６１】
（第３の実施形態）
以下、図面を参照しながら本発明の第３の実施形態について詳しく説明する。
図１７は、第３の実施形態による電子棚札１００の構成を示す概略ブロック図である。
第３の実施形態による電子棚札１００は、第２の実施形態と電子棚札１００の検出回路２１３５、出力信号制御部２１５１、入力タイマ部２１５２の動作が異なるものである。
【００６２】
図１８は、第３の実施形態による管理サーバ装置５００の構成を示す概略ブロック図である。
第３の実施形態による管理サーバ装置５００は、第２の実施形態と入力パターンテーブル２５２１の内容及び処理決定部２５３１の動作が異なるものである。
【００６３】
図１９は、入力パターンテーブル２５２１が格納する情報の例を示す第２の図である。
第３の実施形態による入力パターンテーブル２５２１は、図１９に示すように、電子棚札１００の識別番号である棚札コードに対応付けて、処理の識別番号である処理モード、複数の検出信号の検出軸、処理内容、一時表示フラグ、標準モードフラグを格納する。
つまり、第３の実施形態による入力パターンテーブル２５２２は、検出間隔の代わりに検出軸を格納する。なお、以下、幅方向の検出軸をＸ軸、奥行方向の検出軸をＹ軸、高さ方向の検出軸をＺ軸と表現する。
【００６４】
次に、第３の実施形態による電子棚札システムの動作を説明する。
まず、電子棚札１００の入力装置部１３０が検出信号を出力する動作を説明する。
図２０は、電子棚札１００の入力装置部１３０が検出信号を出力する動作を示す第３のフローチャートである。なお、第２の実施形態と同じ動作については、第２の実施形態と同一の符号を用いて説明する。
電子棚札１００の加速度センサ１１３１は、電子棚札１００の幅方向（Ｘ軸）、奥行方向（Ｙ軸）、高さ方向（Ｚ軸）にかかる加速度を常時検出し、検出したそれぞれの加速度に対応する電圧のセンサ信号を出力している（ステップＳ５１）。次に、ローパスフィルタ１３２は、加速度センサ１１３１が出力するそれぞれのセンサ信号から、ＬＣＤ表示部１１０の固有振動数以上の高周波成分を除去する（ステップＳ５２）。次に、ハイパスフィルタ１３３は、ローパスフィルタ１３２が出力するそれぞれのセンサ信号から所定の低周波成分を除去する（ステップＳ５３）。
【００６５】
次に、コンパレータ１３４は、ハイパスフィルタ１３４が出力するそれぞれのセンサ信号の電圧と所定の閾値とを比較する（ステップＳ５４）。コンパレータ１３４は、センサ信号の電圧が所定の閾値以上であると判定した場合（ステップＳ５４：ＹＥＳ）、ＯＮを示す検出信号を出力する（ステップＳ５５）。他方、コンパレータ１３４は、センサ信号の電圧が所定の閾値未満であると判定した場合（ステップＳ５４：ＮＯ）、ＯＦＦを示す検出信号を出力する（ステップＳ５６）。
【００６６】
コンパレータ１３４が検出信号を出力すると、検出回路１１３５は、コンパレータ１３４が出力する検出信号のうち、何れか１つの軸に対応する検出信号のみがＯＮであるか否かを判定する（ステップＳ７１）。
検出回路１１３５が、何れか１つの軸に対応する検出信号のみがＯＮであると判定した場合（ステップＳ７１：ＹＥＳ）、コンパレータ１３４が出力したそれぞれの検出軸に対応する検出信号を出力する（ステップＳ７２）。他方、検出回路１１３５が、全ての軸に対応する検出信号がＯＦＦである、または複数の軸に対応する検出信号がＯＮであると判定した場合（ステップＳ７１：ＮＯ）、ＯＦＦを示す検出信号をそれぞれの検出軸に対応する検出信号として出力する（ステップＳ７３）。これにより、複数のセンサ信号の変化レベルが同時に所定の閾値を超えた場合に検出信号を出力しないため、外部からの振動・衝撃による誤動作を防ぐことができる。
【００６７】
次に、ユーザが電子棚札１００を叩くことで表示切替のコマンドを入力する際の電子棚札１００の動作を説明する。
図２１は、ユーザが電子棚札１００へコマンドを入力する際の電子棚札１００の動作を示す第２のフローチャートである。
電子棚札１００の出力信号制御部２１５１は、入力装置部１３０が出力するそれぞれの検出軸に対応する検出信号を取得する（ステップＳ８１）。次に、出力信号制御部２１５１は、取得した三つの検出軸の検出信号の何れかがＯＮであるか否かを判定する（ステップＳ８２）。出力信号制御部２１５１が、全ての検出信号がＯＦＦであると判定した場合（ステップＳ８２：ＮＯ）、ステップＳ８１に戻り、入力装置部１３０の検出信号のＯＮ／ＯＦＦの判定を繰り返す。
他方、出力信号制御部２１５１が、何れかの検出信号がＯＮであると判定した場合（ステップＳ８２：ＹＥＳ）、出力信号制御部２１５１は、メモリ１２０に、検出信号がＯＮとなっている検出軸の識別情報（Ｘ、Ｙ、Ｚ）を書き込む（ステップＳ８３）。次に、入力タイマ部２１５２は、検出信号がＯＮであると判定した時刻からの経過時間の計時を開始する（ステップＳ８４）。なお、入力タイマ部２１５２は、メモリ１２０の経過時間記憶領域に計時した時間を書き込む。
【００６８】
入力タイマ部２１５２が計時を開始すると、出力信号制御部２１５１は、再度入力装置部１３０から三つの検出軸の検出信号を取得する（ステップＳ８５）。次に、出力信号制御部２１５１は、何れかの検出軸に対応する検出信号がＯＮであるか否かを判定する（ステップＳ８６）。出力信号制御部２１５１が、何れかの検出信号がＯＮであると判定した場合（ステップＳ８６：ＹＥＳ）、出力信号制御部２１５１は、検出信号がＯＮとなっている検出軸の識別情報をメモリ１２０の検出軸記憶領域に書き込む。（ステップＳ８７）。このとき、出力信号制御部２１５１は、検出軸を検出信号の出力順に順序付けられたリストとしてメモリ１２０の検出軸記憶領域に書き込む。次に、入力タイマ部２１５２は、メモリ１２０の経過時間記憶領域に書き込んだ時間をリセットし、ステップＳ８６で検出信号がＯＮであると判定した時刻からの経過時間の計時を開始する（ステップＳ８８）。
【００６９】
ステップＳ８６で出力信号制御部１５１が、いずれの検出信号もＯＦＦであると判定した場合（ステップＳ８６：ＮＯ）、またはステップＳ８８で入力タイマ部２１５２が経過時間をリセットした場合、出力信号制御部２１５１は、入力タイマ部２１５２が計時する時間が所定の時間を経過しているか否かを判定する（ステップＳ８９）。ここで、所定の時間とは、例えば３秒程度の時間である。出力信号制御部２１５１は、所定の時間が経過していないと判定した場合（ステップＳ８９：ＮＯ）、ステップＳ８５に戻り、検出信号のＯＮ／ＯＦＦの判定を繰り返す。
他方、出力信号制御部２１５１は、所定の時間が経過したと判定した場合（ステップＳ８９：ＹＥＳ）、メモリ１２０が検出軸記憶領域に記憶する検出軸のリストを読み出す（ステップＳ９０）。
【００７０】
出力信号制御部２１５１は、検出軸のリストを読み出すと、読み出した検出軸のリストを示す入力パターンデータを生成する（ステップＳ９１）。次に、無線通信部１４０は、生成した入力パターンデータを管理サーバ装置５００に送信する（ステップＳ９２）。
これにより、検出信号がＯＮとなった検出軸の組み合わせ、すなわち検出信号のパターンを管理サーバ装置に送信することができる。
【００７１】
次に、管理サーバ装置５００が入力パターンデータを受信した際の動作を説明する。
図２２は、管理サーバ装置５００が入力パターンデータを受信した際の動作を示す第２のフローチャートである。
上述したステップＳ９２により、電子棚札１００が入力パターンデータを出力すると、管理サーバ装置５００の通信部５１０は、中継器３００及び基地局装置４００を介して入力パターンデータを受信する（ステップＳ１０１）。通信部５１０が入力パターンデータを受信すると、処理決定部２５３１は、入力パターンデータが示す検出軸と入力パターンテーブル２５２１が示す各処理モードの検出軸とを比較し、何れかの処理モードに対応付けられた検出軸と合致するか否かを判定する（ステップＳ１０２）。
【００７２】
処理決定部２５３１は、何れかの処理モードの検出軸と入力パターンデータが示す検出軸とが合致したと判定した場合（ステップ１０２：ＹＥＳ）、入力パターンテーブル２５２１から合致した処理モードに対応付けられた処理内容を読み出す（ステップＳ１０３）。
処理決定部２５３１が処理内容を読み出すと、処理実行部２５３２は読み出した処理内容に従って処理命令を生成する（ステップＳ１０４）。
【００７３】
処理実行部２５３２が処理命令を生成すると、通信部５１０は、生成した処理命令を処理対象となる装置へ送信する（ステップＳ１０５）。
他方、ステップＳ１０２で、処理決定部２５３１が、入力パターンデータが示す検出軸が何れか処理モードの検出軸とも合致しないと判定した場合（ステップＳ１０２：ＮＯ）、管理サーバ装置５００は処理命令の生成を行わずに処理を終了する。これにより、ユーザによる入力パターンが誤っていた場合に処理を行わないため、顧客の不用意な操作による誤動作の発生を防ぐことができる。
【００７４】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、本実施形態では、電子棚札１００の入力装置部１３０が出力した検出信号のパターンが入力パターンと合致しない場合に処理を行わない例を説明したが、これに限られず、例えば、店員を呼び出す処理を実行する等、顧客向けの処理を行うようにしても良い。
【００７５】
なお、上述した実施形態では、管理サーバ装置５００の記憶部５２０が各テーブルを記憶し、管理サーバ装置５００のＣＰＵ５３０がプログラムを実行することで各処理部を構成する場合を説明したが、これに限られず、例えば、各テーブル及び各処理部を他の装置に設けるようにしても良い。
【００７６】
なお、上述した実施形態では、加速度センサ１３１が電子棚札１００のＬＣＤ表示部１１０の裏面に止着される場合を説明したが、これに限られず、他の部位に止着されていてもよい。
図２３は、加速度センサ１３１の他の止着位置を示す第１の図である。
図２３に示すように、加速度センサ１３１は、電子棚札１００の回路基板に止着されていても良い。回路基板に止着される場合、加速度センサ１３１を電子棚札１００の端部に配置することで、検出感度を高めることができる。
図２４は、加速度センサ１３１の他の止着位置を示す第１の図である。
図２４に示すように、加速度センサ１３１は、電子棚札１００の筐体に止着されていても良い。これにより、加速度センサ１３１は、電子棚札１００の筐体の振動を検出することができる。また、ローパスフィルタ１３２は、加速度センサ１３１が出力するセンサ信号から筐体の固有振動数以上の高周波成分を除去することで、センサ信号のノイズを適切に除去することができる。
【００７７】
なお、上述した実施形態では、加速度センサ１３１を１つだけ備える場合を説明したが、これに限られず、例えば、複数の加速度センサを備え、コンパレータ１３４がそれぞれのセンサ信号の平均値に基づいて検出信号を出力することで、検出感度を高めるようにしても良い。
【００７８】
なお、上記の実施形態では、スーパーマーケットやコンビニエンスストア等の小売店の棚に付ける電子棚札１００として説明したが、本発明は、電子棚札に限られるものではなく、小売店で販売される商品等の情報以外の情報を表示する情報表示装置として用いてもよい。
例えば、倉庫等において、保管物を保管しておく棚や、保管物を収めた箱や、保管物自体に付けて、その保管物の内容を示す情報を電子的に表示するラベルや札として用いてもよい。
また、銀行等の書類を扱う業務において、用紙置き場に配置し、用紙の説明や残り枚数を表示する表示装置として用いてもよい。また、さらに、工場等において、作業員への作業指示を表示するパネルや部品を置く棚に付けて、部品の分類等の情報を電子的に表示するラベルや札として用いてもよい。
【００７９】
上述の電子棚札１００及び管理サーバ装置５００は内部に、コンピュータシステムを有している。そして、上述した各処理部の動作は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００８０】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００８１】
１００、１００−１〜１００−Ｍ…電子棚札  １１０…ＬＣＤ表示部  １２０…メモリ  １３０…入力装置部  １３１…加速度センサ  １３２…ローパスフィルタ  １３３…ハイパスフィルタ  １３４…コンパレータ  １４０…無線通信部  １５０…ＣＰＵ  １５１…出力信号制御部  １５２…入力タイマ部  １５３…表示切替部  １５４…表示タイマ部  ２００…大型電子棚札  ３００、３００−１〜３００−Ｎ…中継器  ４００…基地局装置  ５００…管理サーバ装置  ５１０…通信部  ５２０…記憶部  ５２１…入力パターンテーブル  ５２２…テンプレートテーブル  ５２３…商品情報テーブル  ５３０…ＣＰＵ  ５３１…処理決定部  ５３２…処理実行部  ６００…ストアサーバ装置
【図１】
2011045429.tif 000003
【図２】
2011045429.tif 000004
【図３】
2011045429.tif 000005
【図４】
2011045429.tif 000006
【図５】
2011045429.tif 000007
【図６】
2011045429.tif 000008
【図７】
2011045429.tif 000009
【図８】
2011045429.tif 000010
【図９】
2011045429.tif 000011
【図１０】
2011045429.tif 000012
【図１１】
2011045429.tif 000013
【図１２】
2011045429.tif 000014
【図１３】
2011045429.tif 000015
【図１４】
2011045429.tif 000016
【図１５】
2011045429.tif 000017
【図１６】
2011045429.tif 000018
【図１７】
2011045429.tif 000019
【図１８】
2011045429.tif 000020
【図１９】
2011045429.tif 000021
【図２０】
2011045429.tif 000022
【図２１】
2011045429.tif 000023
【図２２】
2011045429.tif 000024
【図２３】
2011045429.tif 000025
【図２４】
2011045429.tif 000026